(57)【要約】【課題】  プロジェクタを利用する際に、ネットワークを有効に活用するための技術を提供する。【解決手段】  画像供給装置は、プロジェクタに直接的に接続される第１のインタフェース部と、ネットワークを介して外部装置に接続される第２のインタフェース部と、対象画像に画像処理を施して処理済み画像を生成する画像処理部と、処理済み画像を、第１のインタフェース部を介してプロジェクタに供給すると共に、処理済み画像に対応する対象画像を、第２のインタフェース部を介して外部装置に供給する供給部と、を備える。画像処理部は、画像供給装置において準備された第１の画像を第１の対象画像として、第１の処理済み画像を生成し、さらに、外部装置から第２のインタフェース部を介して第２の画像を取得した場合には、第１の画像と第２の画像とが合成された画像を第２の対象画像として、第２の処理済み画像を生成する。【選択図】  図２
2006313260.tif 000002
【特許請求の範囲】
【請求項１】
プロジェクタに画像を供給する画像供給装置であって、
前記プロジェクタに直接的に接続される第１のインタフェース部と、
ネットワークを介して外部装置に接続される第２のインタフェース部と、
対象画像に、前記プロジェクタのための画像処理を施して、処理済み画像を生成する画像処理部と、
前記処理済み画像を、前記第１のインタフェース部を介して前記プロジェクタに供給すると共に、前記処理済み画像に対応する前記対象画像を、前記第２のインタフェース部を介して前記外部装置に供給する供給部と、
を備え、
前記画像処理部は、前記画像供給装置において準備された第１の画像を第１の対象画像として、第１の処理済み画像を生成し、さらに、前記外部装置から前記第２のインタフェース部を介して第２の画像を取得した場合には、前記第１の画像と前記第２の画像とが合成された合成画像を第２の対象画像として、第２の処理済み画像を生成することを特徴とする画像供給装置。
【請求項２】
請求項１記載の画像供給装置であって、さらに、
前記画像供給装置の表示部に表示される第１の表示領域であって、前記プロジェクタによって表示される前記処理済み画像に対応する前記対象画像を表示する前記第１の表示領域を準備する表示領域準備部を備える、画像供給装置。
【請求項３】
請求項２記載の画像供給装置であって、
前記表示領域準備部は、さらに、前記画像供給装置の表示部に表示される第２の表示領域であって、前記第１の処理済み画像に対応する前記第１の対象画像を表示する前記第２の表示領域を準備する、画像供給装置。
【請求項４】
請求項１ないし３のいずれかに記載の画像供給装置であって、
前記第１の画像は、アプリケーションプログラムによって準備される原画像のうちのユーザによって選択された少なくとも一部を含む画像であり、
前記画像処理部は、前記アプリケーションプログラムからの指示に従って、前記第１の処理済み画像を生成する、画像供給装置。
【請求項５】
請求項１ないし４のいずれかに記載の画像供給装置であって、さらに、
前記プロジェクタによって投写面上に表示される画像の歪みを補正するための歪み補正情報を、前記第１のインタフェース部を介して、前記プロジェクタから取得する歪み補正情報取得部を備え、
前記画像処理部は、前記対象画像に、前記歪み補正情報を用いた歪み補正処理を含む前記画像処理を施して、前記処理済み画像を生成する、画像供給装置。
【請求項６】
プロジェクタに直接的に接続される第１のインタフェース部と、ネットワークを介して外部装置に接続される第２のインタフェース部と、を備える画像供給装置において、前記プロジェクタに画像を供給する方法であって、
（ａ）対象画像に、前記プロジェクタのための画像処理を施して、処理済み画像を生成する工程と、
（ｂ）前記処理済み画像を、前記第１のインタフェース部を介して前記プロジェクタに供給すると共に、前記処理済み画像に対応する前記対象画像を、前記第２のインタフェース部を介して前記外部装置に供給する工程と、
を備え、
前記工程（ａ）は、前記画像供給装置において準備された第１の画像を第１の対象画像として、第１の処理済み画像を生成し、さらに、前記外部装置から前記第２のインタフェース部を介して第２の画像を取得した場合には、前記第１の画像と前記第２の画像とが合成された合成画像を第２の対象画像として、第２の処理済み画像を生成する工程を含むことを特徴とする画像供給方法。
【請求項７】
プロジェクタに直接的に接続される第１のインタフェース部と、ネットワークを介して外部装置に接続される第２のインタフェース部と、を備えるコンピュータに、前記プロジェクタへ画像を供給させるためのコンピュータプログラムであって、
対象画像に、前記プロジェクタのための画像処理を施して、処理済み画像を生成する画像処理機能と、
前記処理済み画像を、前記第１のインタフェース部を介して前記プロジェクタに供給すると共に、前記処理済み画像に対応する前記対象画像を、前記第２のインタフェース部を介して前記外部装置に供給する供給機能と、
を備え、
前記画像処理機能は、前記画像供給装置において準備された第１の画像を第１の対象画像として、第１の処理済み画像を生成し、さらに、前記外部装置から前記第２のインタフェース部を介して第２の画像を取得した場合には、前記第１の画像と前記第２の画像とが合成された合成画像を第２の対象画像として、第２の処理済み画像を生成する機能を含むことを特徴とするコンピュータプログラム。
【請求項８】
請求項７記載のコンピュータプログラムを記録したコンピュータ読み取り可能な記録媒体。
【発明の詳細な説明】
【技術分野】
【０００１】
この発明は、プロジェクタへ画像を供給する技術に関する。
【背景技術】
【０００２】
プレゼンテーションでは、プロジェクタが多く利用されている。プロジェクタは、コンピュータと接続され、コンピュータから供給された画像をスクリーン上に投写表示する。
【０００３】
【特許文献１】特開２００２−２７８５２９号公報
【特許文献２】特開２００２−３６６３４１号公報
【特許文献３】特開２００４−６９９９６号公報
【特許文献４】特開２００４−６９９９７号公報
【特許文献５】特開２００４−８６２７７号公報
【特許文献６】特開２００４−８８１９４号公報
【特許文献７】国際公開第０１／９３５８３号パンフレット
【発明の開示】
【発明が解決しようとする課題】
【０００４】
ところで、複数のコンピュータがネットワークを介して互いに接続され、プロジェクタがＵＳＢケーブルなどを介して直接的に複数のコンピュータのうちの第１のコンピュータのみと接続されているシステムでは、通常、第１のコンピュータのみがプロジェクタによって表示されるべき画像を供給することができる。
【０００５】
上記のようなシステムでは、第１のコンピュータと他のコンピュータとがネットワークを介して接続されているにも関わらず、プロジェクタを利用する際に、ネットワークはあまり活用されていなかった。このため、例えば、第２のコンピュータにおいて準備された画像を、第１のコンピュータにおいて準備された画像と共に、プロジェクタに表示させることは困難であった。
【０００６】
この発明は、従来技術における上述の課題を解決するためになされたものであり、プロジェクタを利用する際に、ネットワークを有効に活用することを目的とする。
【課題を解決するための手段】
【０００７】
上述の課題の少なくとも一部を解決するため、本発明の装置は、プロジェクタに画像を供給する画像供給装置であって、
前記プロジェクタに直接的に接続される第１のインタフェース部と、
ネットワークを介して外部装置に接続される第２のインタフェース部と、
対象画像に、前記プロジェクタのための画像処理を施して、処理済み画像を生成する画像処理部と、
前記処理済み画像を、前記第１のインタフェース部を介して前記プロジェクタに供給すると共に、前記処理済み画像に対応する前記対象画像を、前記第２のインタフェース部を介して前記外部装置に供給する供給部と、
を備え、
前記画像処理部は、前記画像供給装置において準備された第１の画像を第１の対象画像として、第１の処理済み画像を生成し、さらに、前記外部装置から前記第２のインタフェース部を介して第２の画像を取得した場合には、前記第１の画像と前記第２の画像とが合成された合成画像を第２の対象画像として、第２の処理済み画像を生成することを特徴とする。
【０００８】
この装置では、画像処理部は、画像供給装置において準備された第１の画像と、外部装置から取得した第２の画像と、が合成された合成画像を対象画像として処理済み画像を生成するため、第１の画像と第２の画像とを同時にプロジェクタに表示させることができる。さらに、この装置では、プロジェクタに供給される処理済み画像に対応する対象画像が外部装置に供給されるため、外部装置は、プロジェクタによって表示される画像を外部装置の表示部に表示させることができる。すなわち、この装置を採用すれば、プロジェクタを利用する際に、ネットワークを有効に活用することが可能となる。
【０００９】
上記の装置において、さらに、
前記画像供給装置の表示部に表示される第１の表示領域であって、前記プロジェクタによって表示される前記処理済み画像に対応する前記対象画像を表示する前記第１の表示領域を準備する表示領域準備部を備えるようにしてもよい。
【００１０】
こうすれば、プロジェクタによって表示される処理済み画像に対応する対象画像が画像供給装置の表示部に表示されるため、ユーザはプロジェクタによって表示された画像を確認せずに、該画像を把握することができる。
【００１１】
上記の装置において、
前記表示領域準備部は、さらに、前記画像供給装置の表示部に表示される第２の表示領域であって、前記第１の処理済み画像に対応する前記第１の対象画像を表示する前記第２の表示領域を準備するようにしてもよい。
【００１２】
こうすれば、画像供給装置のユーザは、第２の表示領域を確認することによって、画像供給装置において準備された第１の対象画像を把握することができる。
【００１３】
上記の装置において、
前記第１の画像は、アプリケーションプログラムによって準備される原画像のうちのユーザによって選択された少なくとも一部を含む画像であり、
前記画像処理部は、前記アプリケーションプログラムからの指示に従って、前記第１の処理済み画像を生成することが好ましい。
【００１４】
こうすれば、画像供給装置の表示部に表示され得る画像のうち、ユーザの意図する画像のみをプロジェクタに表示させることができる。
【００１５】
上記の装置において、さらに、
前記プロジェクタによって投写面上に表示される画像の歪みを補正するための歪み補正情報を、前記第１のインタフェース部を介して、前記プロジェクタから取得する歪み補正情報取得部を備え、
前記画像処理部は、前記対象画像に、前記歪み補正情報を用いた歪み補正処理を含む前記画像処理を施して、前記処理済み画像を生成することが好ましい。
【００１６】
こうすれば、プロジェクタは歪み補正処理を実行せずに済むため、プロジェクタの構成を簡単にすることができる。
【００１７】
なお、本発明は、上記の画像供給装置と、外部装置と、を備える画像供給システムの態様でも実現可能である。
【００１８】
また、本発明は、上記の画像供給装置または画像供給システムと、上記のプロジェクタと、を備える投写表示システムの態様でも実現可能である。この場合には、プロジェクタは、
画像を表す光を射出する画像形成部と、
前記画像形成部から射出された光を投写面上に投写する投写光学系と、
前記歪み補正情報を前記画像供給装置に供給する歪み補正情報供給部と、
前記画像供給装置から前記処理済み画像を取得して、前記処理済み画像を前記画像形成部に供給する再生処理部と、
を備えることが好ましい。
【００１９】
この投写表示システムでは、画像供給装置から歪み補正処理が施された処理済み画像を取得するため、プロジェクタは歪み補正処理を実行せずに済み、この結果、プロジェクタの構成を簡単にすることができる。
【００２０】
なお、この発明は、画像供給装置および方法、該画像供給装置と外部装置とを備える画像供給システムおよび該システムにおける画像供給方法、該画像供給装置とプロジェクタとを備える投写表示システムおよび該システムにおける画像供給方法、これらの方法または装置の機能を実現するためのコンピュータプログラム、そのコンピュータプログラムを記録した記録媒体、そのコンピュータプログラムを含み搬送波内に具現化されたデータ信号、等の種々の態様で実現することができる。
【発明を実施するための最良の形態】
【００２１】
Ａ．投写表示システムの構成：
図１は、投写表示システムの構成を示す説明図である。この投写表示システムは、プロジェクタＰＪと、複数のコンピュータＰＣ１，ＰＣ２，ＰＣ３，ＰＣ４…と、を備えている。複数のコンピュータＰＣ１，ＰＣ２，ＰＣ３，ＰＣ４…は、ローカルエリアネットワークＮＷを介して互いに接続されている。また、第１のコンピュータ（画像供給装置）ＰＣ１とプロジェクタＰＪとは、ＵＳＢケーブルＣＢを介して、直接的に、換言すれば、１対１で接続されている。
【００２２】
第１のコンピュータＰＣ１は、ＵＳＢケーブルＣＢを介して、デジタル画像データを不定期にプロジェクタＰＪに供給する。プロジェクタＰＪは、取得した画像データを内部に設けられた液晶ライトバルブに供給し、スクリーン上に画像を表示する。
【００２３】
ところで、プロジェクタは、通常、あおり投写によってスクリーン上に画像を表示する。あおり投写が行われる場合には、スクリーン上に表示される画像は台形状に歪む。このため、プロジェクタでは、液晶ライトバルブに歪み画像（台形状の画像）を形成することによって、スクリーン上に歪みのない画像を表示している。なお、あおり投写とは、プロジェクタの光源光軸がスクリーンに対して垂直に交わらない場合の投写手法を意味する。
【００２４】
本実施例では、第１のコンピュータＰＣ１は、対象画像に歪み補正処理を施した処理済み画像（すなわち歪み画像）をプロジェクタＰＪに供給する。これにより、プロジェクタＰＪは、歪み補正処理を実行せずに、スクリーン上に歪みのない画像（処理済み画像）を表示することができる。
【００２５】
また、本実施例では、第１のコンピュータＰＣ１は、サーバとして機能し、他のコンピュータＰＣ２，ＰＣ３，ＰＣ４…は、クライアントとして機能する。具体的には、第１のコンピュータＰＣ１は、第１のコンピュータＰＣ１において準備された第１の画像を対象画像として処理済み画像を生成するだけでなく、該第１の画像と他のコンピュータから供給された第２の画像とを合成し、合成画像を対象画像として処理済み画像を生成する。
【００２６】
Ｂ．第１のコンピュータ（サーバ）の構成：
図２は、図１の第１のコンピュータＰＣ１の内部構成を示す説明図である。第１のコンピュータＰＣ１は、ＣＰＵ１１０と、ＲＯＭやＲＡＭなどの内部記憶装置１１２と、外部記憶装置１５０と、表示部１６０と、マウスやキーボードなどの操作部１７０と、ＵＳＢインタフェース部（ＵＳＢＩＦ部）１９２と、ネットワークインタフェース部（ネットワークＩＦ部）１９４と、を備えている。なお、ＣＰＵ１１０は、第１のコンピュータＰＣ１の全体の動作を制御する。ＵＳＢＩＦ部１９２は、ＵＳＢケーブルＣＢを介してプロジェクタＰＪと直接的に接続されている。また、ネットワークＩＦ部１９４は、ネットワークＮＷを介して他のコンピュータＰＣ２，ＰＣ３，ＰＣ４…と接続されている。
【００２７】
内部記憶装置１１２には、プロジェクタ制御部１２０として機能するコンピュータプログラム（プロジェクタドライバ）が格納されている。また、内部記憶装置１１２には、サーバ処理部１３０として機能するコンピュータプログラムが格納されている。プロジェクタ制御部１２０とサーバ処理部１３０の機能は、ＣＰＵ１１０が各コンピュータプログラムを実行することによって実現される。これらのコンピュータプログラムは、ＣＤ−ＲＯＭなどのコンピュータ読み取り可能な記録媒体に記録された形態で提供される。
【００２８】
なお、内部記憶装置１１２には、クライアント処理部１３５として機能するコンピュータプログラムも格納されている。ただし、第１のコンピュータＰＣ１は、サーバとして機能するため、クライアント処理部１３５は利用されない。
【００２９】
プロジェクタ制御部１２０は、歪み補正情報取得部１２２と、画像処理部１２４と、画像供給部１２６と、画像選択部１２８と、を備えている。
【００３０】
歪み補正情報取得部１２２は、プロジェクタＰＪによってスクリーン上に表示される画像の歪みを補正するための歪み補正情報（後述する）を、プロジェクタＰＪから取得する。
【００３１】
画像処理部１２４は、対象画像に画像処理を施して、処理済み画像を生成する機能を有する。画像処理部１２４は、画像抽出部１２５を備えており、画像抽出部１２５は、ワードプロセッサなどのアプリケーションプログラムによって準備される原画像のうちのユーザによって選択された少なくとも一部を含む画像を抽出する。なお、１つの抽出画像は、複数ページで構成される原画像のうちの１つのページのみを含む画像であってもよいし、複数ページで構成される原画像のうちの２以上のページが合成された画像でもよい。また、１つの抽出画像は、１ページで構成される原画像のうちの一部の領域のみを含む画像であってもよい。そして、画像処理部１２４は、抽出画像（対象画像）に画像処理を施す。画像処理部１２４は、後述するように、解像度変換処理や、ガンマ補正処理、画像の明るさやコントラストなどの調整処理を実行する。また、画像処理部１２４は、歪み補正情報取得部１２２が取得した歪み補正情報を用いて、歪み補正処理を実行する。
【００３２】
画像供給部１２６は、ＵＳＢＩＦ部１９２を介して、画像処理部１２４によって生成された処理済み画像（すなわち歪んだ画像）をプロジェクタＰＪに供給する。
【００３３】
また、画像供給部１２６は、サーバ処理部１３０に、画像処理部１２４によって生成された処理済み画像に対応する対象画像（すなわち歪みのない画像）を他のコンピュータＰＣ２，ＰＣ３，ＰＣ４…に供給させる。
【００３４】
画像選択部１２８は、画像選択画面（後述する）を準備し、表示部１６０に表示させる。また、画像選択部１２８は、第１のコンピュータＰＣ１のユーザ（以下、「第１のユーザ」とも呼ぶ）からの指示に従って、複数の抽出画像（対象画像）のうちの１つを画像選択画面に表示させる。画像選択画面に表示される抽出画像は、第１のユーザがプロジェクタＰＪによってスクリーン上に表示されることを望む画像である。
【００３５】
サーバ処理部１３０は、投写画像モニタ部１３１と、投写画像供給部１３２と、取得画像処理部１３３と、を備えている。
【００３６】
投写画像モニタ部１３１は、投写画像モニタ画面（後述する）を準備し、表示部１６０に表示させる。投写画像モニタ画面には、プロジェクタＰＪによって実際にスクリーン上に表示される処理済み画像に対応する対象画像（投写画像）が表示される。
【００３７】
投写画像供給部１３２は、プロジェクタＰＪによって実際にスクリーン上に表示される処理済み画像に対応する対象画像（投写画像）を、ネットワークＩＦ部１９４を介して、他のコンピュータＰＣ２，ＰＣ３，ＰＣ４…に供給する。
【００３８】
取得画像処理部１３３は、第１のコンピュータＰＣ１以外の他のコンピュータから抽出画像を取得した場合に、第１のコンピュータＰＣ１において準備された第１の抽出画像と、他のコンピュータから取得した第２の抽出画像と、を合成し、合成画像を生成する。そして、取得画像処理部１３３は、合成画像を画像処理部１２４に供給する。このとき、画像処理部１２４は、合成画像（対象画像）に対して画像処理を施す。
【００３９】
内部記憶装置１１２には、さらに、画像データ格納領域１４０が設けられている。画像データ格納領域１４０は、原画像データ格納領域１４２と、対象画像データ格納領域１４４と、処理済み画像データ格納領域１４６と、を含んでいる。原画像データ格納領域１４２には、アプリケーションプログラムによって準備された原画像を表す原画像データが格納される。対象画像データ格納領域１４４には、対象画像（抽出画像および合成画像）を表す対象画像データが格納される。処理済み画像データ格納領域１４６には、プロジェクタＰＪに供給される処理済み画像を表す処理済み画像データが格納される。なお、本実施例では、画像データ格納領域１４０には、ビットマップ形式で画像データが格納される。
【００４０】
図３は、画像データ格納領域１４０（図２）に格納される画像データの一例を示す説明図である。図３（Ａ）は、原画像データを示している。図示するように、アプリケーションプログラムによって準備された原画像は、複数ページ分の画像を含んでいる。図３（Ｂ）は、画像抽出部１２５によって準備された第１の対象画像データを示している。図３（Ｂ）では、図３（Ａ）に示す複数ページ分の画像のうち、「Ｂ」を含む画像が抽出されている。図３（Ｃ）は、画像処理部１２４によって生成された第１の処理済み画像データを示している。図３（Ｃ）に示す第１の処理済み画像データは、図３（Ｂ）に示す第１の対象画像データに画像処理を施すことによって生成されている。図示するように、第１の処理済み画像は、「Ｂ」を含む画像であり、台形状に歪んでいる。
【００４１】
図３（Ｄ）は、取得画像処理部１３３によって準備された第２の対象画像データを示している。第２の対象画像は、図３（Ｂ）に示す第１のコンピュータＰＣ１において準備された「Ｂ」を含む第１の抽出画像と、第２のコンピュータＰＣ２から供給された「ｅ」を含む第２の抽出画像と、が合成された合成画像（対象画像）である。図３（Ｅ）は、画像処理部１２４によって生成された第２の処理済み画像データを示している。図３（Ｅ）に示す第２の処理済み画像データは、図３（Ｄ）に示す第２の対象画像データに画像処理を施すことによって生成されている。図示するように、第２の処理済み画像は、「Ｂ」と「ｅ」とを含む画像であり、台形状に歪んでいる。
【００４２】
なお、「Ｂ」を含む抽出画像は、図３（Ｃ）の第１の処理済み画像が生成される場合には、単独で対象画像として扱われ、図３（Ｅ）の第２の処理済み画像が生成される場合には、「ｅ」を含む抽出画像と合成された状態で、対象画像として扱われる。
【００４３】
なお、図２の画像供給部１２６と投写画像供給部１３２とが本発明における供給部に相当する。また、図２の画像選択部１２８と投写画像モニタ部１３１とが本発明における表示領域準備部に相当し、投写画像モニタ部１３１によって表示される投写画像モニタ画面が、第１の表示領域に相当し、画像選択部１２８によって表示される画像選択画面が本発明における第２の表示領域に相当する。
【００４４】
Ｃ．第２のコンピュータ（クライアント）の構成：
図４は、図１の第２のコンピュータＰＣ２の内部構成を示す説明図である。第２のコンピュータＰＣ２は、第１のコンピュータＰＣ１（図３）と同様に、ＣＰＵ２１０と、内部記憶装置２１２と、外部記憶装置２５０と、表示部２６０と、操作部２７０と、ＵＳＢインタフェース部（ＵＳＢＩＦ部）２９２と、ネットワークインタフェース部（ネットワークＩＦ部）２９４と、を備えている。ただし、第２のコンピュータＰＣ２のＵＳＢＩＦ部２９２は、プロジェクタＰＪと接続されていない。
【００４５】
内部記憶装置２１２には、第１のコンピュータＰＣ１（図３）と同様に、プロジェクタ制御部２２０と、サーバ処理部２３０と、クライアント処理部２３５と、として機能するコンピュータプログラムが格納されている。しかしながら、第２のコンピュータＰＣ２はクライアントとして機能するため、サーバ処理部２３０は利用されず、また、プロジェクタ制御部２２０の一部の機能の利用が禁止されている。
【００４６】
具体的には、プロジェクタ制御部２２０は、画像抽出部２２５と、画像供給部２２６と、抽出画像モニタ部２２８と、の機能を有している。
【００４７】
画像抽出部２２５は、図３の画像抽出部１２５と同様に、ワードプロセッサなどのアプリケーションプログラムによって準備される原画像のうちのユーザによって選択された少なくとも一部を含む画像を抽出する。
【００４８】
画像供給部２２６は、図３の画像供給部１２６の一部の機能を有している。画像供給部２２６は、クライアント処理部２３５に、画像抽出部２２５によって抽出された抽出画像を、第１のコンピュータＰＣ１に供給させる。
【００４９】
抽出画像モニタ部２２８は、図３の画像選択部１２８の一部の機能を有している。抽出画像モニタ部２２８は、抽出画像モニタ画面（後述する）を準備し、表示部２６０に表示させる。抽出画像モニタ画面には、抽出画像が表示され、該抽出画像は、第２のコンピュータＰＣ２のユーザ（以下、「第２のユーザ」とも呼ぶ）がプロジェクタＰＪによってスクリーン上に表示されることを望む画像である。
【００５０】
クライアント処理部２３５は、投写画像取得部２３６と、投写画像モニタ部２３７と、抽出画像供給部２３８と、を備えている。
【００５１】
投写画像取得部２３６は、第１のコンピュータＰＣ１の投写画像供給部１３２（図３）から供給された対象画像（投写画像）を、ネットワークＩＦ部２９４を介して、取得する。
【００５２】
投写画像モニタ部２３７は、投写画像モニタ画面（後述する）を準備し、表示部２６０に表示させる。投写画像モニタ画面には、投写画像取得部２３６が取得した対象画像（投写画像）が表示される。
【００５３】
抽出画像供給部２３８は、第２のコンピュータＰＣ２において準備された第２の抽出画像を、ネットワークＩＦ部２９４を介して、第１のコンピュータＰＣ１に供給する。なお、前述したように、第２の抽出画像は、第１のコンピュータＰＣ１の取得画像処理部１３３によって、第１のコンピュータＰＣ１において準備された第１の抽出画像と合成される。
【００５４】
内部記憶装置２１２には、第１実施例と同様に、画像データ格納領域２４０が設けられている。ただし、画像データ格納領域２４０には、原画像データ格納領域２４２と、抽出画像データ格納領域２４３と、が設けられている。原画像データ格納領域２４２には、アプリケーションプログラムによって準備された原画像を表す原画像データが格納される。抽出画像データ格納領域２４３には、画像抽出部２２５によって抽出された抽出画像を表す抽出画像データが格納される。
【００５５】
Ｄ．プロジェクタの構成：
図５は、図１のプロジェクタＰＪの内部構成を示す説明図である。プロジェクタＰＪは、照明光学系３００と、液晶ライトバルブ３２０と、投写光学系３４０と、を備えている。なお、図５では、光学系の図示は、かなり簡略化されている。
【００５６】
また、プロジェクタＰＪは、光源ランプ駆動部３１０と、液晶ライトバルブ駆動部３３０と、歪み補正情報検出部３６０と、ＣＰＵ４００と、ＵＳＢインタフェース部（ＵＳＢＩＦ部）４１０と、表示制御部４２０と、を備えている。ＣＰＵ４００は、プロジェクタＰＪの全体の動作を制御する。また、ＵＳＢＩＦ部４１０は、ＵＳＢケーブルＣＢを介して第１のコンピュータＰＣ１と直接的に接続されている。
【００５７】
光源ランプ駆動部３１０は、照明光学系３００に含まれる光源ランプを駆動する。液晶ライトバルブ駆動部３３０は、表示制御部４２０から与えられる画像データに従って、液晶ライトバルブ３２０を駆動する。
【００５８】
歪み補正情報検出部３６０は、歪み補正情報を検出する。周知のように、スクリーン上に表示される画像の歪みは、プロジェクタの投写角度に依存する。このため、歪み補正情報検出部３６０は、歪み補正情報として、プロジェクタＰＪの投写角度を検出する。ここで、プロジェクタの投写角度は、プロジェクタの光源光軸とスクリーンの法線との間の角度を意味する。なお、光源光軸は、照明光学系３００から射出される光の中心軸ＬＡを意味しており、光源光軸は、液晶ライトバルブ３２０の有効表示領域（画像形成面）の中心を通る。
【００５９】
具体的には、歪み補正情報検出部３６０は、重力センサを備えており、プロジェクタの垂直方向の傾き角（チルト角）を検出する。なお、本実施例では、プロジェクタのチルト角のみが検出されているが、これに加えて、プロジェクタの水平方向の傾き角（パン角）が検出されてもよい。この場合には、例えば、プロジェクタにＣＣＤカメラなどの撮像装置を設け、撮像装置によって撮影された画像に含まれる投写面の特徴に基づいて、例えば、撮影された画像内に表現されたスクリーンや壁面の形状や角度に基づいて、チルト角とパン角とが検出されればよい。
【００６０】
表示制御部４２０は、歪み補正情報供給部４２２と、再生処理部４２４と、を備えており、プロジェクタＰＪによる画像の表示を制御する。
【００６１】
歪み補正情報供給部４２２は、歪み補正情報を第１のコンピュータＰＣ１に供給する。具体的には、歪み補正情報供給部４２２は、第１のコンピュータＰＣ１からの要求に応じて、歪み補正情報検出部３６０に投写角度を検出させ、検出値（歪み補正情報）を取得する。そして、歪み補正情報供給部４２２は、ＵＳＢＩＦ部４１０を介して、歪み補正情報を第１のコンピュータＰＣ１に供給する。
【００６２】
再生処理部４２４は、画像データ格納部４２５を備えている。再生処理部４２４は、第１のコンピュータＰＣ１から処理済み画像データを取得して、該処理済み画像データを画像データ格納部４２５に格納する。そして、再生処理部４２４は、画像データ格納部４２５から処理済み画像データを読み出し、液晶ライトバルブ駆動部３３０を介して液晶ライトバルブ３２０に供給する。これにより、スクリーン上に歪みのない画像（処理済み画像）が表示される。
【００６３】
Ｅ．画像の表示：
図６は、投写表示システムにおける一連の処理手順を示すフローチャートである。なお、図６では、第１のユーザの処理と、第１のコンピュータＰＣ１の処理と、プロジェクタＰＪの処理と、が示されている。
【００６４】
第１のユーザは、第１のコンピュータＰＣ１において、アプリケーションプログラムを実行させ、アプリケーションプログラムの実行画面において、プロジェクタＰＪに表示させるべき画像を含むファイルを開く。
【００６５】
ステップＳ１０２では、ユーザは、アプリケーションプログラムの実行画面において、メニューバーを選択してプルダウンメニューを表示させる。そして、ユーザは、プロジェクタＰＪに画像を表示させるために、該プルダウンメニューにおいて「印刷」を選択する。この説明から分かるように、本実施例では、ユーザはプリンタに画像を印刷させる場合と同様の操作で、プロジェクタＰＪによる画像の表示を指示する。
【００６６】
ステップＳ２０２では、アプリケーションプログラムは、メイン画面（ＧＵＩ：グラフィカルユーザインタフェース）を表示部１６０に表示させる。
【００６７】
図７は、ステップＳ２０２（図６）で表示されるメイン画面ＷＳを示す説明図である。図示するように、メイン画面ＷＳには、「プリンタ」設定フィールドＦＳａや「印刷範囲」設定フィールドＦＳｂなどの種々の設定フィールドが含まれている。また、メイン画面ＷＳには、「プロパティ」ボタンＢＳａや「ＯＫ」ボタンＢＳｂなどの種々のボタンが含まれている。
【００６８】
ステップＳ１０４（図６）では、ユーザはメイン画面ＷＳ（図７）においてプロジェクタを選択する。具体的には、「プリンタ」設定フィールドＦＳａには、１以上のプリンタと共に１以上のプロジェクタが表示される。ユーザは、「プリンタ」設定フィールドＦＳａにおいて、所望のプロジェクタを選択する。図７では、「プロジェクタＰＪ」が選択されている。「プロジェクタＰＪ」が選択されると、第１のコンピュータＰＣ１の内部では、プロジェクタＰＪに対応するプロジェクタドライバが選択される（ステップＳ２０４）。
【００６９】
ステップＳ１０６では、ユーザはメイン画面ＷＳ（図７）においてプロジェクタＰＪによって表示されるべき画像の範囲を設定する。具体的には、「印刷範囲」設定フィールドＦＳｂには、３種類の印刷範囲（すなわち表示範囲）が選択可能に表示されている。「すべて」に対応するラジオボタンが選択されると、アプリケーションプログラムによって生成された１以上のページを含む原画像のうち、すべてのページがプロジェクタによって表示される。同様に、「現在のページ」に対応するラジオボタンが選択されると、上記の原画像のうち、表示部１６０に表示されているページのみがプロジェクタによって表示される。また、「ページ指定」に対応するラジオボタンが選択され、かつ、ページ指定用のボックス内にページ番号が入力されると、上記の原画像のうち、指定されたページのみがプロジェクタによって表示される。図７では、「ページ指定」が選択されていると共に、ページ指定ボックス内に第１ページから第６ページを示す「１−６」が入力されている。
【００７０】
ステップＳ１０８では、ユーザはメイン画面ＷＳ（図７）において、「プロパティ」ボタンＢＳａを選択する。
【００７１】
ステップＳ２０８では、プロジェクタ制御部１２０は、プロパティ画面（ＧＵＩ）を表示部１６０に表示させる。
【００７２】
図８は、ステップＳ２０８（図６）で表示される第１のプロパティ画面ＷＤ１を示す説明図である。図示するように、第１のプロパティ画面ＷＤ１には、「ドライバ機能」設定フィールドＦＤ１が設けられている。「ドライバ機能」設定フィールドＦＤ１は、プロジェクタドライバの機能を選択して設定するためのフィールドであり、「サーバ用プロジェクタドライバ」を選択するための第１のボタンＢＤ１ｂと、「クライアント用プロジェクタドライバ」を選択するための第２のボタンＢＤ１ｃと、が設けられている。第１のユーザは、「サーバ用プロジェクタドライバ」を選択する。これにより、第１のコンピュータＰＣ１は、図３に示すプロジェクタ制御部１２０およびサーバ処理部１３０の機能を発揮することができる。なお、図８において、第１のボタンＢＤ１ｂが選択されると、第１のプロパティ画面ＷＤ１に代えて、サーバ用のプロパティ画面（第２のプロパティ画面）が表示される。
【００７３】
図９は、ステップＳ２０８（図６）で表示される第２のプロパティ画面ＷＤ２を示す説明図である。図示するように、第２のプロパティ画面ＷＤ２には、複数のタブが準備されており、各タブを選択することによって、「画質」，「レイアウト」，「歪み補正」などの種々の設定画面（ＧＵＩ）が表示される。また、第２のプロパティ画面ＷＤ２には、「ＯＫ」ボタンＢＤ２などの種々のボタンが設けられている。図９では、「歪み補正」タブが選択されており、歪み補正設定画面ＷＤ３が表示されている。歪み補正設定画面ＷＤ３には、「歪み補正情報取得」ボタンＢＤ３が設けられている。
【００７４】
ステップＳ１１０（図６）では、ユーザは歪み補正設定画面ＷＤ３において、「歪み補正情報取得」ボタンＢＤ３を選択する。このとき、歪み補正情報取得部１２２は、プロジェクタＰＪに対して歪み補正情報の送信を要求する（ステップＳ２１０）。そして、プロジェクタＰＪの歪み補正情報供給部４２２は、歪み補正情報検出部３６０から歪み補正情報を取得して、第１のコンピュータＰＣ１に供給する（ステップＳ３１０）。このようにして、歪み補正情報取得部１２２は、プロジェクタＰＪから歪み補正情報を取得する（ステップＳ２１０）。なお、歪み補正情報が取得されると、歪み補正に関する設定が完了する。図９の歪み補正設定画面ＷＤ３では、取得された歪み補正情報、すなわち、プロジェクタの垂直方向の投写角度（チルト角）「１２度」が表示されている。
【００７５】
なお、ステップＳ１１０において、ユーザはプロパティ画面ＷＤ２に設けられた各タブを選択することによって、種々の設定を行うことができる。例えば、「画質」タブが選択されると、画質設定画面（図示せず）が表示され、画像の明るさ、コントラストなどの設定を行うことができる。また、「レイアウト」タブが選択されると、レイアウト設定画面（図示せず）が表示され、スクリーン上に表示される１枚（１フレーム）の画像に含まれるべきページ数を設定することができる。本実施例では、１枚（１フレーム）の画像に１ページ分の画像が含まれるように設定された場合を想定している。
【００７６】
第２のプロパティ画面ＷＤ２（図９）において歪み補正情報の設定（ステップＳ１１０）を含む種々の設定が完了すると、ステップＳ１１２において、ユーザは第２のプロパティ画面ＷＤ２に設けられた「ＯＫ」ボタンＢＤ２を選択する。なお、このとき、プロジェクタ制御部１２０はプロパティ画面ＷＤ２を閉じる。
【００７７】
また、メイン画面ＷＳ（図７）においてプロジェクタの選択（ステップＳ１０４）や表示範囲の指定（ステップＳ１０６）などの種々の設定が完了すると、ステップＳ１１４において、ユーザはメイン画面ＷＳに設けられた「ＯＫ」ボタンＢＳｂを選択する。なお、このとき、第１のアプリケーションプログラムはメイン画面ＷＳを閉じる。
【００７８】
ステップＳ１１４で「ＯＫ」ボタンＢＳｂが選択されると、ステップＳ２１４において、アプリケーションプログラムは、プロジェクタ制御部１２０にプロジェクタＰＪへの画像データの出力を指示する。そして、ステップＳ２１４では、プロジェクタ制御部１２０の画像処理部１２４は、種々の画像処理を実行する。
【００７９】
具体的には、画像処理部１２４の画像抽出部１２５は、まず、メイン画面ＷＳ（図７）内の「印刷範囲」設定フィールドＦＳｂで選択された表示範囲に対応する画像データを、原画像データ格納領域１４２から抽出する。本実施例では、第１ページから第６ページまでの画像データが抽出される。そして、各ページの抽出画像データが対象画像データとして扱われる（図３（Ｂ）参照）。なお、仮に、１枚（１フレーム）の画像に複数ページ分の画像が含まれるように設定された場合には、画像抽出部１２５は、複数ページ分の画像データを合成して、抽出画像データを生成する。
【００８０】
画像処理部１２４は、各対象画像データに対して、解像度変換処理や、ガンマ補正処理を実行する。なお、解像度変換処理は、画像データの解像度をプロジェクタＰＪの液晶ライトバルブ３２０の解像度に変換する処理である。ガンマ補正処理は、液晶ライトバルブ３２０の表示特性に応じて画像データの画素値を調整する処理である。液晶ライトバルブの解像度と、液晶ライトバルブの表示特性に適したガンマ値とは、プロジェクタＰＪの機種に応じた固有の情報であり、プロジェクタドライバ（コンピュータプログラム）内に予め記述されている。
【００８１】
さらに、画像処理部１２４は、プロパティ画面ＷＤ２（より具体的には画質設定画面）において設定された設定値に基づいて、各対象画像データに対して、画像の明るさやコントラストなどの調整処理を実行する。
【００８２】
また、画像処理部１２４は、ステップＳ２０８で取得した歪み補正情報を用いて、各対象画像データに対して歪み補正処理を施す。なお、歪み補正処理は、歪み補正情報（投写角度）を用いて計算により実行されてもよい。あるいは、複数の歪み補正情報に応じた複数の歪み形状（台形形状）を示すテーブルを予め準備し、該テーブルを参照することによって、歪み補正処理が実行されてもよい。
【００８３】
上記のように、本実施例では、ステップＳ２１４において、複数の対象画像データに対して種々の画像処理が施され、複数の処理済み画像データ（図３（Ｃ）参照）が生成される。
【００８４】
なお、ステップＳ２１４では、画像処理部１２４は、複数の対象画像データを対象画像データ格納領域１４４に格納し、複数の処理済み画像データを処理済み画像データ格納領域１４６に格納する。
【００８５】
ステップＳ２１６では、画像選択部１２８は、表示部１６０に画像選択画面を表示させる。
【００８６】
図１０は、ステップＳ２１６（図６）で表示される画像選択画面ＷＰ１を示す説明図である。図１０（Ａ）は、表示部１６０に表示される画像を示している。表示部１６０には、アプリケーションプログラムの実行画面ＷＡ１と、画像選択部１２８によって準備された画像選択画面ＷＰ１と、投写画像モニタ部１３１によって準備された投写画像モニタ画面ＷＪ１と、が表示されている。なお、投写画像モニタ画面ＷＪ１については後述する。
【００８７】
図１０（Ｂ）では、画像選択画面ＷＰ１が拡大して示されている。図示するように、画像選択画面ＷＰ１には、４つの画像選択ボタンＢＰａ１〜ＢＰａ４と、一覧表示ボタンＢＰｂと、モニタ領域ＭＰと、が設けられている。
【００８８】
画像選択ボタンＢＰａ１〜ＢＰａ４は、プロジェクタＰＪに再生（表示）させるべき処理済み画像に対応する対象画像を選択するためのボタンであり、いずれかのボタンが選択されると、プロジェクタＰＪによる画像の再生（表示）が開始される。第１のボタンＢＰａ１は、所定の順序で対象画像を順次選択するためのボタンである。なお、所定の順序は、対応する処理済み画像の生成順序に従った順序であり、ページ順序と一致する。第２のボタンＢＰａ２は、該所定の順序と逆の順序で対象画像を順次選択するためのボタンである。また、第３のボタンＢＰａ３は、最初の対象画像を選択するためのボタンであり、第４のボタンＢＰａ４は、最後の対象画像を選択するためのボタンである。
【００８９】
モニタ領域ＭＰは、ユーザが画像選択ボタンＢＰａ１〜ＢＰａ４を操作することによって選択された対象画像をモニタするための領域である。
【００９０】
一覧表示ボタンＢＰｂは、ステップＳ２１４で生成された複数の処理済み画像に対応する複数の対象画像を縮小された状態でモニタ領域ＭＰに表示させるためのボタンである。
【００９１】
ステップＳ１１８（図６）では、第１のユーザは、画像選択画面ＷＰ１において画像選択ボタンＢＰａ１〜ＢＰａ４を操作し、プロジェクタＰＪに再生させるべき処理済み画像に対応する所望の対象画像を選択する。このとき、画像選択部１２８は、ユーザによって選択された対象画像を表す対象画像データを対象画像データ格納領域１４４から読み出し、該対象画像をモニタ領域ＭＰに表示させる。なお、図１０（Ａ），（Ｂ）では、「Ｂ」を含む対象画像が選択されて、モニタ領域ＭＰに表示されている。このように、モニタ領域ＭＰに対象画像を表示させれば、第１のユーザは、選択された対象画像を容易に把握することができる。
【００９２】
ステップＳ２１８では、画像供給部１２６は、ユーザによって選択された対象画像に対応する処理済み画像を表す処理済み画像データを、ＵＳＢインタフェース部１９２を介して、プロジェクタＰＪに供給する。
【００９３】
ステップＳ３１８では、プロジェクタＰＪの再生処理部４２４は、第１のコンピュータＰＣ１から供給された処理済み画像データを取得し、画像データ格納部４２５に格納する。そして、再生処理部４２４は、画像データ格納部４２５から処理済み画像データを読み出し、該処理済み画像データを液晶ライトバルブ駆動部３３０を介して、液晶ライトバルブ３２０に供給する。これにより、スクリーン上には、歪みのない処理済み画像が表示される。
【００９４】
なお、本実施例では、ステップＳ１１８，Ｓ２１８，Ｓ３１８の処理が繰り返し行われる。再生処理部４２４は、処理済み画像データを取得する毎に、画像データ格納部４２５内の処理済み画像データを更新し、新たな処理済み画像データを液晶ライトバルブ３２０に供給する。これにより、プロジェクタＰＪには、処理済み画像が順次表示される。
【００９５】
図１１は、投写表示システムにおける一連の処理手順を示すフローチャートである。図１１の処理は、図６の処理に続いて実行される。図１１では、第２のコンピュータＰＣ２の処理と、第１のコンピュータＰＣ１の処理と、プロジェクタＰＪの処理と、が示されている。
【００９６】
ステップＳ２２０では、サーバ処理部１３０の投写画像モニタ部１３１は、プロジェクタＰＪによって実際にスクリーン上に表示される処理済み画像に対応する対象画像（投写画像）を、表示部１６０に表示させる。投写画像モニタ部１３１は、対象画像を、図１０（Ａ）に示す投写画像モニタ画面ＷＪ１内のモニタ領域に表示させる。図１０（Ａ）では、投写画像モニタ画面ＷＪ１には、画像選択画面ＷＰ１に表示される画像（対象画像）と同じ画像、すなわち「Ｂ」を含む画像（対象画像）が表示されている。
【００９７】
ステップＳ２２２では、画像供給部１２６は、サーバ処理部１３０の投写画像供給部１３２に、プロジェクタＰＪによって実際にスクリーン上に表示される処理済み画像に対応する対象画像（投写画像）を表す対象画像データを、ネットワークＩＦ部１９４を介して、他のコンピュータＰＣ２，ＰＣ３，ＰＣ４へ供給させる。なお、以下では、第２のコンピュータＰＣ２に注目して説明するが、他のコンピュータにおいても同様の処理が実行される。
【００９８】
ステップＳ４２２では、第２のコンピュータＰＣ２のクライアント処理部２３５は、第１のコンピュータＰＣ１から対象画像データを取得して、表示部２６０に対象画像（投写画像）を表示させる。具体的には、第２のコンピュータＰＣ２には、クライアント処理部２３５が常駐しており、第１のコンピュータＰＣ１から対象画像データが供給されると、投写画像取得部２３６は、該対象画像データを取得する。そして、投写画像モニタ部２３７は、表示部２６０に対象画像データによって表される対象画像（投写画像）を表示させる。
【００９９】
図１２は、ステップＳ４２２（図１１）において第２のコンピュータＰＣ２の表示部２６０に表示される画像を示す説明図である。図示するように、表示部２６０には、アプリケーションプログラムの実行画面ＷＡ２と、投写画像モニタ部２３７によって準備された投写画像モニタ画面ＷＪ２と、が表示されている。図１２では、投写画像モニタ画面ＷＪ２内のモニタ領域には、図１０（Ａ）の投写画像モニタ画面ＷＪ１内のモニタ領域に表示される画像（対象画像）と同じ画像、すなわち「Ｂ」を含む画像（対象画像）が表示されている。
【０１００】
このように、本実施例では、各コンピュータＰＣ１，ＰＣ２，ＰＣ３，ＰＣ４…の表示部には、プロジェクタＰＪによって実際にスクリーン上に表示される画像（処理済み画像）に対応する画像（対象画像）が表示される。このため、各コンピュータのユーザは、プロジェクタＰＪによってスクリーン上に表示された画像を確認せずに、該画像を把握することができる。特に、プレゼンテーションの会場が比較的広い場合などには、各ユーザはスクリーン上に表示された画像を見ることは比較的困難である。しかしながら、上記のようにスクリーン上に表示される処理済み画像に対応する対象画像が各コンピュータの表示部に表示されれば、各ユーザは、容易にスクリーン上に表示される画像を把握することができる。
【０１０１】
ところで、本実施例では、他のコンピュータは、スクリーン上に現在表示されている画像と共に、該他のコンピュータで準備された画像を、スクリーン上に表示させることができる。ステップＳ４２４〜Ｓ４２８では、第２のコンピュータＰＣ２が、プロジェクタＰＪによってスクリーン上に現在表示されている画像と共に、換言すれば、第１のコンピュータＰＣ１で準備された第１の画像と共に、第２のコンピュータＰＣ２で準備された第２の画像を表示させるための処理を実行する。
【０１０２】
ステップＳ４２４では、第２のコンピュータＰＣ２の画像抽出部２２５は、抽出処理を実行する。具体的には、第２のユーザは、アプリケーションプログラムの実行画面ＷＡ２（図１２）においてプルダウンメニューを表示させ、該プルダウメニューにおいて「印刷」を選択することによって、プロジェクタＰＪによる画像の表示を指示する（ステップＳ１０２参照）。そして、第２のユーザは、メイン画面（図７参照）においてプロジェクタＰＪを選択する（ステップＳ１０４参照）。また、第２のユーザは、メイン画面において、表示範囲を設定する（ステップＳ１０６参照）。ただし、本実施例では、アプリケーションプログラムによって準備された原画像のうちのいずれか１ページのみの選択が許容されている。複数のページが選択された場合には、プロジェクタ制御部２２０によって処理の実行が禁止される。さらに、第２のユーザは、第１のプロパティ画面（図８参照）において、「クライアント用プロジェクタドライバ」を選択する（ステップＳ１０８参照）。なお、本実施例では、「クライアン用プロジェクタドライバ」が選択されたときには、一部の設定画面（例えばレイアウト設定画面）のみを含む第２のプロパティ画面（図９参照）が表示される。なお、「画質」や「歪み補正」などの設定に応じた画像処理は、第１のコンピュータＰＣ１において行われるため、第２のコンピュータＰＣ２においてはこれらの設定は、禁止される。
【０１０３】
第２のユーザによる設定が完了すると、画像抽出部２２５は、アプリケーションプログラムによって準備された原画像データの中から、ユーザによって選択された１ページ分の画像データを抽出する。
【０１０４】
ステップＳ４２６では、抽出画像モニタ部２２８は、表示部２６０に抽出画像を表示させる。
【０１０５】
図１３は、ステップＳ４２６（図１１）において第２のコンピュータＰＣ２の表示部２６０に表示される画像を示す説明図である。図１３は、図１２とほぼ同じであるが、表示部２６０には、抽出画像モニタ部２２８によって準備された抽出画像モニタ画面ＷＰ２が表示されている。図１３では、抽出画像モニタ画面ＷＰ２内のモニタ領域には、「ｅ」を含む画像（抽出画像）が表示されている。
【０１０６】
ステップＳ４２８では、画像供給部２２６は、クライアント処理部２３５に、抽出画像を表す抽出画像データを、ネットワークＩＦ部２９４を介し、て第１のコンピュータＰＣ１に供給させる。
【０１０７】
ステップＳ２２８では、第１のコンピュータＰＣ１は、第１のコンピュータＰＣ１で準備された第１の抽出画像と、第２のコンピュータＰＣ２から供給された第２の抽出画像と、を合成する。具体的には、取得画像処理部１３３は、外部の第２のコンピュータＰＣ２から抽出画像を取得する。そして、取得画像処理部１３３は、投写画像供給部１３２によって他のコンピュータに供給された第１の抽出画像（第１の対象画像）と、他のコンピュータから取得した第２の抽出画像と、を合成し、合成画像（第２の対象画像）を生成する（図３（Ｄ）参照）。
【０１０８】
ステップＳ２３０では、画像処理部１２４は、ステップＳ２１４と同様に、第２の対象画像データに対して、歪み補正処理を含む画像処理を施し、第２の処理済み画像データを生成する（図３（Ｅ）参照）。
【０１０９】
ステップＳ２３２では、画像供給部１２６は、ステップＳ２１８と同様に、第２の処理済み画像データをプロジェクタＰＪに供給する。
【０１１０】
ステップＳ３３２では、プロジェクタＰＪの再生処理部４２４は、ステップＳ３１８と同様に、第１のコンピュータＰＣ１から供給された第２の処理済み画像データによって表される第２の処理済み画像をスクリーン上に表示させる。
【０１１１】
ステップＳ２３４では、サーバ処理部１３０の投写画像モニタ部１３１は、ステップＳ２２０と同様に、プロジェクタＰＪによって実際にスクリーン上に表示される第２の処理済み画像に対応する第２の対象画像（投写画像）を、表示部１６０に表示させる。
【０１１２】
図１４は、ステップＳ２３４（図１１）において第１のコンピュータＰＣ１の表示部１６０に表示される画像を示す説明図である。図１４は、図１０（Ａ）とほぼ同じであるが、投写画像モニタ画面ＷＪ１には、画像選択画面ＷＰ１に表示される画像（第１の対象画像）と異なる画像、すなわち「Ｂ」，「ｅ」を含む画像（第２の対象画像）が表示される。
【０１１３】
ステップＳ２３６では、画像供給部１２６は、ステップＳ２２２と同様に、サーバ処理部１３０の投写画像供給部１３２に、プロジェクタＰＪによって実際にスクリーン上に表示される第２の処理済み画像に対応する第２の対象画像（投写画像）を表す第２の対象画像データを、他のコンピュータＰＣ２，ＰＣ３，ＰＣ４へ供給させる。
【０１１４】
ステップＳ４３６では、第２のコンピュータＰＣ２のクライアント処理部２３５（より具体的には、投写画像取得部２３６と投写画像モニタ部２３７）は、ステップＳ４２２と同様に、第１のコンピュータＰＣ１から第２の対象画像データを取得して、表示部２６０に第２の対象画像（投写画像）を表示させる。
【０１１５】
図１５は、ステップＳ４３６（図１１）において第２のコンピュータＰＣ２の表示部２６０に表示される画像を示す説明図である。図１５は、図１３とほぼ同じであるが、投写画像モニタ画面ＷＪ２には、抽出画像モニタ画面ＷＰ２に表示される画像（第２の抽出画像）と異なる画像、すなわち「Ｂ」，「ｅ」を含む画像（第２の対象画像）が表示される。
【０１１６】
以上説明したように、本実施例の投写表示システムでは、第１のコンピュータＰＣ１は、ネットワークＮＷを介して第２のコンピュータＰＣ２から第２の抽出画像を取得した場合には、第１のコンピュータＰＣ１において準備された第１の抽出画像と第２のコンピュータから取得した第２の抽出画像とが合成された合成画像を対象画像として、処理済み画像を生成する。このため、第１のコンピュータＰＣ１は、第１の抽出画像と第２の抽出画像とを同時にプロジェクタＰＪに表示させることができる。これにより、第２のコンピュータＰＣ２は、スクリーン上に現在表示されている画像と共に、第２のコンピュータで準備された画像を、スクリーン上に表示させることができる。
【０１１７】
また、本実施例では、第１のコンピュータＰＣ１は、プロジェクタＰＪによって実際にスクリーン上に表示される処理済み画像に対応する対象画像（投写画像）を、自己の表示部１６０に表示すると共に、ネットワークを介して他のコンピュータに供給する。このため、各コンピュータは、該対象画像（投写画像）を表示部（より具体的には投写画像モニタ画面ＷＪ１，ＷＪ２）に表示させることができる。これにより、各コンピュータのユーザは、各コンピュータの表示部を確認することによって、スクリーン上に現在表示されている画像を、容易に把握することができる。
【０１１８】
上記のように、本実施例の投写表示システムでは、プロジェクタＰＪに画像を表示させる際に、ネットワークを有効に活用することができる。
【０１１９】
さらに、本実施例では、各コンピュータにおいて準備され、各コンピュータのユーザがプロジェクタによって表示されることを望む抽出画像が、各コンピュータの表示部（より具体的には画像選択画面ＷＰ１または抽出画像モニタ画面ＷＰ２）に表示される。このため、各コンピュータのユーザは、画像選択画面ＷＰ１または抽出画像モニタ画面ＷＰ２を確認することによって、各コンピュータにおいて準備され、ユーザがプロジェクタによって表示されることを望む抽出画像（対象画像）を容易に把握することができる。なお、画像選択画面ＷＰ１または抽出画像モニタ画面ＷＰ２は、投写画像モニタ画面ＷＪ１，ＷＪ２に表示される画像と異なる画像を表示する場合に、特に有用である。
【０１２０】
また、本実施例では、第１のコンピュータＰＣ１（より具体的には、プロジェクタ制御部１２０）は、アプリケーションプログラムによって準備された原画像の中からユーザによって選択された対象画像に歪み補正処理を施し、処理済み画像をプロジェクタＰＪに供給する。このため、図１０（Ａ），（Ｂ）に示すように、第１のコンピュータＰＣ１が表示部１６０に表示する全体の画像と、プロジェクタＰＪがスクリーン上に表示する画像（投写画像モニタ画面ＷＪ１を参照）とは、異なっている。すなわち、本実施例では、第１のコンピュータＰＣ１の表示部１６０に他人に見られたくない画像が表示されている場合にも、第１のコンピュータＰＣ１の表示部１６０に表示され得る画像のうち、ユーザの意図する画像のみをプロジェクタＰＪに表示させることができる。また、本実施例では、アプリケーションプログラムによって表示部１６０に表示されていない画像（すなわち、図１０（Ｂ）の「Ｂ」を含む第２のページ）も、プロジェクタＰＪに表示させることができる。
【０１２１】
さらに、本実施例では、通常の投写表示システムではプロジェクタで実行される種々の処理が第１のコンピュータＰＣ１において実行されるため、プロジェクタＰＪの構成を比較的簡単にすることができ、この結果、プロジェクタを小型化および軽量化することができる。
【０１２２】
例えば、通常のプロジェクタでは、コンピュータから供給されたアナログ画像信号をアナログ−デジタル変換するためのＡＤ変換器が設けられている。しかしながら、本実施例では、第１のコンピュータＰＣ１は、ＵＳＢケーブルＣＢを介して、デジタル画像データをプロジェクタＰＪに供給する。このため、本実施例のプロジェクタＰＪでは、ＡＤ変換器が省略されている。
【０１２３】
また、通常のプロジェクタでは、解像度変換処理手段や、ガンマ補正処理手段が設けられている。しかしながら、本実施例では、第１のコンピュータＰＣ１において、解像度変換処理やガンマ補正処理が実行される。このため、本実施例のプロジェクタＰＪでは、上記の各手段が省略されている。
【０１２４】
さらに、通常のプロジェクタでは、メニュー画面を表示させる手段や、画像の明るさやコントラストなどを調整する手段が設けられている。しかしながら、本実施例では、プロジェクタドライバがメニュー画面に相当するプロパティ画面ＷＤ２（図９）を準備し、プロジェクタドライバがプロパティ画面ＷＤ２において設定された内容に基づいて画像の明るさやコントラストなどの調整処理を実行する。このため、本実施例のプロジェクタＰＪでは、上記の各手段が省略されている。
【０１２５】
特に、通常のプロジェクタでは、歪み補正処理を実行する手段が設けられている。しかしながら、本実施例では、第１のコンピュータＰＣ１が、プロジェクタＰＪから歪み補正情報を取得して、歪み補正処理を実行する。このため、本実施例のプロジェクタＰＪでは、歪み補正処理手段が省略されている。
【０１２６】
なお、この発明は上記の実施例や実施形態に限られるものではなく、その要旨を逸脱しない範囲において種々の態様において実施することが可能であり、例えば次のような変形も可能である。
【０１２７】
（１）上記実施例では、処理済み画像データは、非圧縮形式でプロジェクタＰＪに供給されているが、これに代えて、圧縮形式で供給されてもよい。なお、この場合には、第１のコンピュータＰＣ１の画像供給部１２６が圧縮手段を備え、プロジェクタＰＪの再生処理部４２４が伸張手段を備えていればよい。
【０１２８】
（２）上記実施例では、画像供給部１２６は、第１のユーザによって対象画像が選択される毎に、対応する処理済み画像データをプロジェクタＰＪに供給する（ステップＳ２１８）。しかしながら、これに代えて、画像供給部は、複数の対象画像に対応する複数の処理済み画像データを一括してプロジェクタＰＪに供給するようにしてもよい。この場合には、第１のユーザによって対象画像が選択される毎に、対応する処理済み画像データの再生命令をプロジェクタＰＪに供給すればよい。なお、上記実施例のように、各処理済み画像データがプロジェクタＰＪに順次供給される場合には、プロジェクタＰＪの画像データ格納部４２５の容量を比較的小さく設定することができるという利点がある。例えば、画像データ格納部４２５の容量を１つの処理済み画像データのサイズと等しく設定することができる。一方、各処理済み画像データがプロジェクタＰＪに一括して供給される場合には、プロジェクタＰＪによって既に表示された処理済み画像を再度表示する際に、プロジェクタＰＪに既に供給された処理済み画像データを再度供給せずに済むという利点がある。
【０１２９】
（３）上記実施例では、第１のコンピュータＰＣ１においては、複数の抽出画像が準備されており、第１のユーザは、画像選択画面ＷＰ１において、１つの抽出画像（対象画像）を選択することができる（ステップＳ１１８）。一方、第２のコンピュータにおいては、１つの抽出画像のみが準備されている。
【０１３０】
しかしながら、これに代えて、第１のコンピュータＰＣ１において、１つの抽出画像のみが準備されるようにしてもよい。なお、この場合には、第１のコンピュータＰＣ１の表示部１６０には、画像選択画面ＷＰ１（図１０（Ｂ））に代えて、画像選択ボタンや一覧表示ボタンなどを含まない抽出画像モニタ画面（図１３参照）が表示されればよい。あるいは、第２のコンピュータＰＣ２において、複数の抽出画像が準備されるようにしてもよい。なお、この場合には、第２のコンピュータＰＣ２の表示部２６０には、抽出画像モニタ画面ＷＰ２（図１３）に代えて、画像選択ボタンや一覧表示ボタンなどを含む画像選択画面（図１０（Ｂ）参照）が表示されればよい。こうすれば、第２のユーザは、スクリーン上に表示される画像と共に、第２のコンピュータＰＣ２で準備された複数の画像をスクリーン上に順次表示させることができる。
【０１３１】
（４）上記実施例の第１のコンピュータＰＣ１では、抽出画像を表示する画像選択画面ＷＰ１と、プロジェクタによって表示された処理済み画像に対応する対象画像を表示する投写画像モニタ画面ＷＪ１と、は別の画面である。しかしながら、これに代えて、抽出画像を表示するモニタ領域と、処理済み画像に対応する対象画像を表示するモニタ領域と、は、１つの画面内に設けられるようにしてもよい。同様に、上記実施例の第２のコンピュータＰＣ２でも、抽出画像を表示する抽出画像モニタ画面ＷＰ２と、プロジェクタによって表示された処理済み画像に対応する対象画像を表示する投写画像モニタ画面ＷＪ２と、は別の画面である。しかしながら、これに代えて、抽出画像を表示するモニタ領域と、処理済み画像に対応する対象画像を表示するモニタ領域と、は、１つの画面内に設けられるようにしてもよい。
【０１３２】
（５）上記実施例では、プロジェクタ制御部１２０，２２０（プロジェクタドライバ）が画像選択部１２８，抽出画像モニタ部２２８を含んでいるが、これに代えて、画像選択部，抽出画像モニタ部（画像選択プログラム，抽出画像モニタプログラム）は、独立して準備されてもよい。
【０１３３】
また、上記実施例では、サーバ処理部１３０，２３０とクライアント処理部１３５，２３５とは、プロジェクタ制御部１２０，２２０と独立して準備されているが、プロジェクタ制御部が、サーバ処理部およびクライアント処理部を含んでいてもよい。
【０１３４】
（６）上記実施例では、アプリケーションプログラムが準備するプルダウンメニューにおいて「印刷」が選択されているが、これに代えて、アプリケーションプログラムは「プロジェクタ出力」を含むプルダウンメニューを準備するようにしてもよい。
【０１３５】
（７）上記実施例では、各コンピュータプログラムは、ＣＤ−ＲＯＭなどのコンピュータ読み取り可能な記録媒体に記録された形態で提供されている。これに代えて、予めプロジェクタＰＪの内部にコンピュータプログラム（プロジェクタドライバ，サーバ処理プログラム，クライアント処理プログラム）を格納しておき、各コンピュータがプロジェクタＰＪと接続されたときに、プラグアンドプレイ機能によって、該コンピュータプログラムが各コンピュータに供給されてインストールされてもよい。
【０１３６】
（８）本実施例では、プロジェクタＰＪはネットワークＮＷに接続できないが、プロジェクタＰＪにネットワークインタフェース部を追加し、ネットワークに接続できるようにしてもよい。この場合にも、プロジェクタＰＪが第１のコンピュータＰＣ１に直接的に（ローカルに）接続される際には、本発明を適用可能である。
【０１３７】
（９）上記実施例では、プロジェクタは、液晶ライトバルブを備えているが、これに代えて、ＤＭＤ（ディジタル・マイクロミラー・デバイス）（ＴＩ社の商標）などのマイクロミラー型光変調装置を備えていてもよい。あるいは、プロジェクタは、高輝度ブラウン管や、プラズマディスプレイ画面、エレクトロルミネッセンスディスプレイ画面、発光ダイオード型ディスプレイ画面、フィールドエミッションディスプレイ画面などを備えていてもよい。このように、画像形成部としては、非自発光型の装置や、自発光型の装置を用いることができる。
【０１３８】
（１０）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【０１３９】
【図１】投写表示システムの構成を示す説明図である。
【図２】図１の第１のコンピュータＰＣ１の内部構成を示す説明図である。
【図３】画像データ格納領域１４０（図２）に格納される画像データの一例を示す説明図である。
【図４】図１の第２のコンピュータＰＣ２の内部構成を示す説明図である。
【図５】図１のプロジェクタＰＪの内部構成を示す説明図である。
【図６】投写表示システムにおける一連の処理手順を示すフローチャートである。
【図７】ステップＳ２０２（図６）で表示されるメイン画面ＷＳを示す説明図である。
【図８】ステップＳ２０８（図６）で表示される第１のプロパティ画面ＷＤ１を示す説明図である。
【図９】ステップＳ２０８（図６）で表示される第２のプロパティ画面ＷＤ２を示す説明図である。
【図１０】ステップＳ２１６（図６）で表示される画像選択画面ＷＰ１を示す説明図である。
【図１１】投写表示システムにおける一連の処理手順を示すフローチャートである。
【図１２】ステップＳ４２２（図１１）において第２のコンピュータＰＣ２の表示部２６０に表示される画像を示す説明図である。
【図１３】ステップＳ４２６（図１１）において第２のコンピュータＰＣ２の表示部２６０に表示される画像を示す説明図である。
【図１４】ステップＳ２３４（図１１）において第１のコンピュータＰＣ１の表示部１６０に表示される画像を示す説明図である。
【図１５】ステップＳ４３６（図１１）において第２のコンピュータＰＣ２の表示部２６０に表示される画像を示す説明図である。
【符号の説明】
【０１４０】
１１０…ＣＰＵ
１１２…内部記憶装置
１２０…プロジェクタ制御部
１２２…歪み補正情報取得部
１２４…画像処理部
１２５…画像抽出部
１２６…画像供給部
１２８…画像選択部
１３０…サーバ処理部
１３１…投写画像モニタ部
１３２…投写画像供給部
１３３…取得画像処理部
１３５…クライアント処理部
１４０…画像データ格納領域
１４２…原画像データ格納領域
１４４…対象画像データ格納領域
１４６…処理済み画像データ格納領域
１５０…外部記憶装置
１６０…表示部
１７０…操作部
１９２…ＵＳＢＩＦ部
１９４…ネットワークＩＦ部
２１０…ＣＰＵ
２１２…内部記憶装置
２２０…プロジェクタ制御部
２２２…歪み補正情報取得部
２２４…画像処理部
２２５…画像抽出部
２２６…画像供給部
２２８…抽出画像モニタ部
２３０…サーバ処理部
２３５…クライアント処理部
２３６…投写画像取得部
２３７…投写画像モニタ部
２３８…抽出画像供給部
２４０…画像データ格納領域
２４２…原画像データ格納領域
２４３…抽出画像データ格納領域
２５０…外部記憶装置
２６０…表示部
２７０…操作部
２９２…ＵＳＢＩＦ部
２９４…ネットワークＩＦ部
３００…照明光学系
３１０…光源ランプ駆動部
３２０…液晶ライトバルブ
３３０…液晶ライトバルブ駆動部
３４０…投写光学系
３６０…歪み補正情報検出部
４００…ＣＰＵ
４１０…ＵＳＢＩＦ部
４２０…表示制御部
４２２…歪み補正情報供給部
４２４…再生処理部
４２５…画像データ格納部
ＰＣ１…第１のコンピュータ
ＰＣ２…第２のコンピュータ
ＰＪ…プロジェクタ
【図１】
2006313260.tif 000003
【図２】
2006313260.tif 000004
【図３】
2006313260.tif 000005
【図４】
2006313260.tif 000006
【図５】
2006313260.tif 000007
【図６】
2006313260.tif 000008
【図７】
2006313260.tif 000009
【図８】
2006313260.tif 000010
【図９】
2006313260.tif 000011
【図１０】
2006313260.tif 000012
【図１１】
2006313260.tif 000013
【図１２】
2006313260.tif 000014
【図１３】
2006313260.tif 000015
【図１４】
2006313260.tif 000016
【図１５】
2006313260.tif 000017